(57)【要約】【課題】両手把持タイプのものとしても、また、片手把持タイプのものとしても使用できるように構成した刈払機を提供することを目的とする。【解決手段】ハンドルバー２１ｂのハンドルグリップ部２２ｂが、操作桿５の真上の位置を横断する状態にセットできるように構成し、かつ、ハンドルグリップ部２２ｂを操作桿５の上方位置にセットした場合に、５〜１５ｃｍの間隔がハンドルグリップ部２２ｂと操作桿５との間に形成されるように構成した。【選択図】図２
2007259721.tif 000002
【特許請求の範囲】
【請求項１】
左右一対のハンドルバーからなるハンドルと、当該ハンドルを操作桿に取り付けるための取付部を有し、
前記取付部が、操作桿に対して取付部を固定するためのベース部と、前記ハンドルを固定するためのブラケットとによって構成され、
前記ブラケットが、前記ベース部に対して垂直軸線周りに回動可能なように構成され、
前記一対のハンドルバーが、相互に独立し、前記ブラケットに対して水平軸線周りにそれぞれ回動可能なように構成されている刈払機において、
前記一対のハンドルバーのうち、少なくとも一方のハンドルバーのハンドルグリップ部が、前記操作桿の真上の位置を横断する状態にセットできるように構成され、
前記ハンドルグリップ部を前記操作桿の上方位置にセットした場合に、５〜１５ｃｍの間隔が当該ハンドルグリップ部と操作桿との間に形成されるように構成したことを特徴とする刈払機。
【請求項２】
前記一対のハンドルバーを両手把持用ポジションにセットした場合に、少なくとも一方のハンドルバーが、前記ブラケットから下方へ向かって延び、湾曲部が前記ブラケットよりも低い位置となるような形状となっており、これにより、当該ハンドルバーのハンドルグリップ部が前記操作桿の真上の位置を横断する状態とすることができるようになっていることを特徴とする、請求項１に記載の刈払機。
【請求項３】
前記ブラケットの回動中心となる垂直軸線から前記ハンドルまでの距離が４〜１２ｃｍとなるように前記ブラケットが構成され、これにより、当該ハンドルバーのハンドルグリップ部が前記操作桿の真上の位置を横断する状態とすることができるようになっていることを特徴とする、請求項１に記載の刈払機。
【請求項４】
前記取付部が、前記ベース部とブラケットの間に所定の高さの支持部が介在する構成となっており、これにより、前記ハンドルグリップ部を前記操作桿の上方位置にセットした場合に、５〜１５ｃｍの間隔が当該ハンドルグリップ部と操作桿との間に形成されるようになっていることを特徴とする、請求項１に記載の刈払機。
【請求項５】
前記一対のハンドルバーを両手把持用ポジションにセットした場合に、少なくとも一方のハンドルグリップ部が、ブラケットの真横の位置よりも、５〜１５ｃｍエンジンユニット側へずれた位置となるようにハンドルバーが構成され、これにより、前記ハンドルグリップ部を前記操作桿の上方位置にセットした場合に、５〜１５ｃｍの間隔が当該ハンドルグリップ部と操作桿との間に形成されるようになっていることを特徴とする、請求項１に記載の刈払機。
【発明の詳細な説明】
【技術分野】
【０００１】
本発明は、雑草等を刈り払う際に使用される刈払機に関し、特に、ハンドルの形状及びハンドルの取付部に特徴を有し、両手把持タイプのものとしても、また、片手把持タイプのものとしても使用できるように構成した刈払機に関する。
【背景技術】
【０００２】
従来より、雑草等を刈り払う際には、刈払機と呼ばれるエンジン作業機が広く用いられている。刈払機は、一般に、操作桿の先端には回転刃が、後端にはエンジンが取り付けられており、操作桿内に挿通させたドライブシャフトを介してエンジンの駆動力が回転刃に供給されるように構成され、操作者が操作桿に取り付けられたハンドルを把持して操作するような構成となっている。
【０００３】
刈払機の操作桿に取り付けられているハンドルの形状にはいくつかの種類があり、操作者が両手で把持するタイプのものと、片手で把持するタイプのものとがある。両手把持タイプのハンドルは、通常、両端が外側斜め上方へ折れ曲がり、或いは、湾曲してハンドルグリップ部を形成し、それらの中間の水平な部分が操作桿と直交する向きに取り付けられている。一方、片手把持タイプのハンドルは、円弧状或いは直線状の片手用ハンドルグリップ部が、操作桿の上方５ｃｍ〜１５ｃｍ程度の高さに保持されるように構成されている。
【０００４】
両手把持タイプのハンドルが取り付けられた刈払機は、操作者が身体を回転刃の方向に向け、両腕を若干前方へ突き出すような形で、ハンドルの左右のグリップ部をそれぞれ握り、刈り払う対象物（雑草など）に対し、操作者が正面を向いて操作することになる。このタイプの刈払機は、比較的平らな場所での使用に適しており、身体の中心線を軸として操作桿及びその先端の回転刃を左右に振りながら、前方へ進んでいくことにより、少ない労力で効率的に刈り払い作業を行うことができる。但し、法面の草を刈る場合や、起伏が大きい場所、変化に富んだ場所で使用する場合には、操作しづらいことがある。
【０００５】
片手把持タイプのハンドルが取り付けられた刈払機は、操作者が右利きである場合には、操作者は操作桿の左側に立ち、片手用ハンドルグリップ部を左手で握り、操作桿の根本部分（エンジンに近接した位置）を右手で握って、刈り払う対象物に対し半身の姿勢で操作する。このタイプは、両手把持タイプのものと対照的に、法面の草を刈る場合や、起伏が大きい場所、変化に富んだ場所で使用するような場合に適している。
【特許文献１】実開昭６３−１２９４２４号公報
【発明の開示】
【発明が解決しようとする課題】
【０００６】
上述したように、両手把持タイプのハンドルと片手把持タイプのハンドルには、それぞれ一長一短がある。従って、ユーザーが新たに刈払機を購入しようとする際には、使用場所に適したタイプのハンドルが取り付けられた刈払機を適宜選択することになる。つまり、主として平坦な場所での使用を予定している場合には、両手把持タイプのハンドルが取り付けられた刈払機を選択すればよいし、法面や起伏が大きい場所での使用を予定している場合には、片手把持タイプのハンドルが取り付けられた刈払機を選択すればよい。
【０００７】
しかしながら、平坦な場所と起伏が大きい場所のいずれもが含まれているような地形で用いる場合において、どちらか一方のタイプを選択しなければならないとすると、他方のメリットを切り捨てる結果となってしまう。また、ハンドルのタイプ毎にそれぞれ刈払機を一台ずつ購入するとなると、経済的な負担が大きくなってしまう。
【０００８】
本発明は、このような従来技術における問題を解決すべくなされたものであって、両手把持タイプのものとしても、また、片手把持タイプのものとしても使用できるように構成した刈払機を提供することを目的とする。
【課題を解決するための手段】
【０００９】
本発明の刈払機は、左右一対のハンドルバーからなるハンドルと、当該ハンドルを操作桿に取り付けるための取付部を有し、取付部が、操作桿に対して取付部を固定するためのベース部と、ハンドルを固定するためのブラケットとによって構成され、ブラケットが、ベース部に対して垂直軸線周りに回動可能なように構成され、一対のハンドルバーが、相互に独立し、ブラケットに対して水平軸線周りにそれぞれ回動可能なように構成され、一対のハンドルバーのうち、少なくとも一方のハンドルバーのハンドルグリップ部が、操作桿の真上の位置を横断する状態にセットできるように構成され、ハンドルグリップ部を操作桿の上方位置にセットした場合に、５〜１５ｃｍの間隔がハンドルグリップ部と操作桿との間に形成されるような構成となっていることを特徴としている。
【００１０】
尚、一対のハンドルバーを両手把持用ポジションにセットした場合に、少なくとも一方のハンドルバーが、ブラケットから下方へ向かって延び、湾曲部が前記ブラケットよりも低い位置となるような形状となっているか、或いは、ブラケットの回動中心となる垂直軸線からハンドルまでの距離が４〜１２ｃｍとなるようにブラケットが構成されていることが好ましく、このように構成することによって、ハンドルバーのハンドルグリップ部が操作桿の真上の位置を横断するような状態にハンドルをセットすることが可能となる。
【００１１】
また、取付部が、ベース部とブラケットの間に所定の高さの支持部が介在する構成となっているか、或いは、一対のハンドルバーを両手把持用ポジションにセットした場合に、少なくとも一方のハンドルグリップ部が、ブラケットの真横の位置よりも、５〜１５ｃｍエンジンユニット側へずれた位置となるようにハンドルバーが構成されていることが好ましく、このように構成することによって、ハンドルグリップ部を操作桿の上方位置にセットした場合に、５〜１５ｃｍの間隔がハンドルグリップ部と操作桿との間に形成されるような状態にハンドルをセットすることが可能となる。
【発明の効果】
【００１２】
本発明の刈払機は、ハンドルを操作桿に取り付けるための取付部の構成要素の一つであるブラケットが、ベース部に対して垂直軸線周りに回動可能なように構成され、一対のハンドルバーが、相互に独立し、ブラケットに対して水平軸線周りにそれぞれ回動可能なように構成されているため、ベース部に対するブラケットの角度、及び、ブラケットに対するハンドルバーの角度を自在に調節することができ、これにより、ハンドルを両手把持用ポジションにセットすることができるほか、片手把持用ポジションにもセットすることができる。
【００１３】
そして、片手把持用ポジションにセットした場合において、少なくとも一方のハンドルバーのハンドルグリップ部が操作桿の真上の位置を横断するような状態とすることができるため、操作者は、刈払機における左右方向の重心位置を握ることができ、その結果、刈払機を安定的に構えることができ、少ない労力で効率的に作業を行うことができる。
【００１４】
また、片手把持用ポジションにセットした場合において、操作桿の上方位置において保持されるハンドルグリップ部と操作桿との間に、５〜１５ｃｍの間隔が形成されるような構成となっているので、操作者がハンドルグリップ部を握るための充分な間隔を操作桿との間に確保することができる。
【発明を実施するための最良の形態】
【００１５】
以下、添付図面に沿って、本発明を実施するための最良の形態について説明する。図１は、本発明の第１実施形態に係る刈払機１の平面図であり、図２は、図１の刈払機１におけるハンドル２及び取付部３の背面図（図１における矢印Ａの方向へ視線を向けた場合に表れるハンドル２及び取付部３の形状を示す図）である。尚、図１において４はエンジンユニット、５は操作桿、６は回転刃である。
【００１６】
図１及び図２に示されているように、この刈払機１においては、ハンドル２の両端にハンドルグリップ部２２ａ，２２ｂがそれぞれ形成されている。また、ハンドル２は、操作桿５の長手方向と直交する向き（図１の平面図において直交する向き）に固定されている。
【００１７】
図２からもわかるように、本実施形態の刈払機１においては、左側と右側が対称的ではない特徴的な形状のハンドル２が取り付けられている。より具体的には、ハンドル２の主たる構成要素である両ハンドルバー２１ａ，２１ｂの形状は、湾曲部２６ａ，２６ｂよりも先の部分（ハンドルグリップ部２２ａ，２２ｂを含む）が外側斜め上方を向いた状態となっている点では共通しているものの、左側のハンドルバー２１ａが、取付部３のブラケット９から水平方向へ延びて湾曲部２６ａに至っているのに対し、右側のハンドルバー２１ｂは、ブラケット９から下方へ向かって延び、湾曲部２６ｂがブラケット９よりも低い位置となっている点で異なっている。（尚、本実施形態において「左側」とは、特に説明がない限り「図２における左側」を意味し、「右側」は、「図２における右側」を意味している。以下においても同様である。）
【００１８】
また、右側のハンドルグリップ部２２ｂは、左側のハンドルグリップ部２２ａよりも長く、左側のハンドルグリップ部２２ａの湾曲側端部２４ａがブラケット９よりも高い位置となっているのに対し、右側のハンドルグリップ部２２ｂの湾曲側端部２４ｂは、ブラケット９よりも低い位置となっている。
【００１９】
図３は、図１及び図２に示した取付部３の一部切欠斜視図である。図示されているように、取付部３は、ベース部７、支持部８、ブラケット９、締付用把手１０によって構成されている。（尚、図１及び図２においては、図３の締付用把手１０は省略されている。）
【００２０】
ベース部７は、操作桿５に対して取付部３を固定するためのものであり、上部７ａと下部７ｂとによって操作桿５を上下から挟み込み、ネジを締め付けることにより、操作桿５上の任意の位置において、取付部３をしっかりと固定できるようになっている。そして、上部７ａの上方には、垂直に突出した円柱状の支持部８が形成されている。ベース部７の上部７ａと支持部８は一体的に成型されており、支持部８は、充分な強度をもってベース部７上に突出した状態が維持されるようになっている。
【００２１】
ブラケット９は、図１及び図２に示したハンドル２を固定するためのものであり、上部９ａと下部９ｂとによって、ハンドルバー２１ａ，２１ｂの基端部をそれぞれ上下から挟み込んで、ハンドル２を固定するようになっている。尚、ハンドルバー２１ａ，２１ｂの基端部には、図示されているように大径部２３ａ，２３ｂがそれぞれ形成されている。これらの大径部２３ａ，２３ｂは、ブラケット９の上部９ａ及び下部９ｂの内側に形成されている嵌合溝に嵌合するようになっており、これにより、ハンドルバー２１ａ，２１ｂの脱落が防止されるようになっている。
【００２２】
ブラケット９は、支持部８に対して枢軸的に接続されており、支持部８の軸線Ｃ（垂直軸線）を中心として自在に回動させることができるようになっている。但し、ブラケット９の上方に取り付けられている締付用把手１０を時計回り方向へ回し、内部のネジ（図示せず）を締め付けることにより、任意の角度位置で固定できるように構成されている。尚、締付用把手１０を時計回り方向へ回転させることによる締め付けは、支持部８とブラケット９との固定関係のみならず、ブラケット９とハンドルバー２１ａ，２１ｂとの固定関係に対しても同時に作用する。
【００２３】
つまり、締付用把手１０を反時計回りへ所定量回転させて内部のネジを緩めると、支持部８上においてブラケット９が軸線Ｃを中心として回動自在な状態になるとともに、ハンドルバー２１ａ，２１ｂも、ブラケット９に対し、水平軸線を中心として回動自在な状態となる。そして、締付用把手１０を時計回りへ回転させて内部のネジを締め付けると、支持部８に対するブラケット９の回動が規制されて固定状態になり、同様に、ブラケット９に対するハンドルバー２１ａ，２１ｂの回動も規制されて固定状態となる。
【００２４】
支持部８は、高さ寸法が１０（±５）ｃｍに設定されており、ベース部７とブラケット９の間に介在することにより、ベース部７の上部７ａから約１０ｃｍ上方の高さ位置においてブラケット９を支持することを目的とするものである。その理由については後述する。
【００２５】
尚、図３からも明らかなように、二つのハンドルバー２１ａ，２１ｂは、それぞれ別個の部材によって構成されており、相互に独立しているため、締付用把手１０が緩められた場合、他方の回動動作とは無関係にそれぞれ独自に回動させることができる。
【００２６】
本実施形態の刈払機１は、ハンドル２を固定するための取付部３が上記のような構造となっているため、ハンドル２の位置と角度を自由に変更することができる。また、上述したように、右側のハンドルバー２１ｂ及び右側のハンドルグリップ部２２ｂが、左側のハンドルバー２１ａ及び左側のハンドルグリップ部２２ａとは異なる特別な形状となっている。このため、本実施形態の刈払機１は、両手把持タイプのものとしても、また、片手把持タイプのものとしても使用することができる。
【００２７】
より詳細には、図１及び図２においては、ハンドル２が、操作桿５と直交する向きに固定されており、両ハンドルグリップ部２２ａ，２２ｂが、操作桿５の左右においてそれぞれ外側斜め上方を向いた状態となっているため、操作者は、ハンドル２とエンジンユニット４の間の位置（図１に示すＰの位置）に立ち、左側のハンドルグリップ部２２ａを左手で握り、右側のハンドルグリップ部２２ｂを右手で握り、身体を回転刃６の方向へ向けて操作を行うことができる。つまり、ハンドル２を図１及び図２に示すような状態にセットした場合、この刈払機１を両手把持用のものとして使用することができる。
【００２８】
そして、図１及び図２に示したような状態から、図３に示す締付用把手１０を反時計回り方向へ回転させて、内部のネジを緩め、ハンドル２を保持した状態のブラケット９を反時計回り方向へ９０°回転させ、右側のハンドルグリップ部２２ｂの先端部２５ｂが操作桿５の左側（エンジンユニット４から回転刃６の方を見て左側）となるように、右側のハンドルバー２１ｂを９０°回転させ、更に、左側のハンドルグリップ部２２ａの先端部２５ａが下方を向くように左側のハンドルバー２１ａを回転させる。この状態で締付用把手１０を時計回り方向へ回転させて締め付け、ブラケット９及び両ハンドルバー２１ａ，２１ｂを固定する。
【００２９】
そうすると、ハンドル２は図４及び図５に示すような状態となり、この場合、右利きの操作者は操作桿５の左側（図４に示すＰの位置）に立ち、ハンドルグリップ部２２ｂを左手で握り、操作桿５の根本部分（エンジンユニット４に近接した位置）に配置された後手用グリップ１１を右手で握って、刈り払う対象物に対し半身の姿勢で操作することができる。つまり、ハンドル２を図４及び図５に示すような状態にセットした場合、この刈払機１を片手把持用のものとして使用することができる。
【００３０】
両手把持タイプのハンドルが取り付けられた従来の刈払機においても、ブラケット及びハンドルがベース部に対して垂直軸線周りに回動可能なように、また、ハンドルバーがブラケットに対して水平軸線周りに回動可能なように構成され、かつ、左右のハンドルバーが相互に独立して回動するように構成されたものも存在する。しかしながら従来のものは、ハンドルバーを固定するブラケットがベース部に直結されており、ブラケットがベース部よりも５ｃｍ以上高い位置に保持されるような構造とはなっていなかったため、ブラケット及びハンドルバーを回転させて図４に示すような状態（片手把持用ポジション）とした場合、ハンドルグリップ部が操作桿に接触した状態となってしまったり、或いは、ハンドルグリップ部と操作桿の間に僅かな隙間しか形成されないといった状態になり、操作者がハンドルグリップ部を握るための充分な間隔を確保することができない。
【００３１】
本実施形態においては、図３に示したように、ベース部７とブラケット９の間に１０ｃｍの高さの支持部８が介在しているため、ベース部７の上部７ａから約１０ｃｍ上方の高さ位置においてブラケット９が支持されることになり、その結果、ハンドルバー２１ｂを図１及び図２に示されている状態（両手把持用ポジション）から図４に示すような片手把持用ポジションとなるように、ハンドル２を垂直軸線周りに９０°、水平軸線周りに９０°回転させた場合、図５に示すように、ハンドルグリップ部２２ｂが、操作桿５の上方約１０ｃｍの高さ位置に保持され、操作者が右側のハンドルグリップ部２２ｂを握るための充分な間隔を操作桿５との間に確保することができる。
【００３２】
また、本実施形態においては、ハンドルバー２１ｂ及びハンドルグリップ部２２ｂが特殊な構成となっているため（より具体的には、図１、図２に示したように、ハンドル２を両手把持用ポジションにセットした場合において、ハンドルバー２１ｂが取付部３付近から一旦下方へと延び、湾曲部２６ｂが取付部３よりも低い位置となっており、更に、ハンドルグリップ部２２ｂの湾曲側端部２４ｂも、取付部３より低い位置となっているため）、図４に示すように、ハンドル２を片手把持用のポジションにセットした場合に、ハンドルグリップ部２２ｂの湾曲部側端部２４ｂが、操作桿５よりも右側（エンジンユニット４から回転刃６の方を見て右側）に位置することになり、ハンドルグリップ部２２ｂが、操作桿５の真上の位置を横断するような形（少なくとも操作桿５の中心軸から左右にそれぞれ５ｃｍの範囲が、ハンドルグリップ部２２ｂによってカバーされるような状態）となる。
【００３３】
仮に、図２に示した右側のハンドルバー２１ｂ及びハンドルグリップ部２２ｂが、左側のハンドルバー２１ａ及び左側のハンドルグリップ部２２ａとそれぞれ同一形状であったとすると、ハンドル２を片手把持用のポジションにセットした場合、ハンドルグリップ部２２ｂ’は、全体が操作桿５の左側（エンジンユニット４から回転刃６の方を見て左側）に位置することになる（図４において破線で示す位置）。この場合、ハンドルグリップ部２２ｂ’は、刈払機１における左右方向の重心からずれることになるため、操作者がこの部分を握った場合、刈払機１を安定的に構えることが難しく、操作者に余計な負担がかかってしまうことになる。
【００３４】
一方、本実施形態においては、上述したとおり、片手把持用のポジションにセットした場合、ハンドルグリップ部２２ｂが操作桿５の真上の位置を横断するような形となるので、操作者は、刈払機１における左右方向の重心位置を握ることができる。また、本実施形態においては、片手把持用のポジションにセットした場合に、操作桿５とハンドルグリップ部２２ａ，２２ｂとの角度が、９０°±１５°の範囲内となるように設定されている。その結果、片手把持用の刈払機１として使用する場合において、ハンドルグリップ部２２ｂを握りやすい状態とすることができ、かつ、刈払機１を安定的に構えることができ、少ない労力で効率的に作業を行うことができる。
【００３５】
尚、「片手把持用ポジションにセットした場合において、ハンドルグリップ部２２ｂが操作桿５の真上の位置を横断するような状態」とすることができるように構成されていれば、本発明の刈払機１におけるハンドル２は、必ずしも図２に示したような形状とする必要はない。
【００３６】
例えば、図６（本発明の第２の実施形態に係る刈払機１（両手把持用ポジション）の平面図）に示すように、ブラケット９を、回動中心となる軸線Ｃからハンドル２までの距離が８（±４）ｃｍ程度となるように構成すれば、ハンドルバー２１ｂが、図７に示すように、ブラケット９から水平方向へ延びて湾曲部２６ｂに至るような形状となっていても、「片手把持用ポジションにおいて、ハンドルグリップ部２２ｂが操作桿５の真上の位置を横断するような状態」とすることができる（図８参照）。
【００３７】
また、「片手把持用ポジションにセットした場合において、ハンドルグリップ部２２ｂが、操作桿５の上方位置に保持され、ハンドルグリップ部２２ｂを握るための充分な間隔が操作桿５との間に形成される」ように構成されていれば、本発明の刈払機１における取付部３は、必ずしも図３に示したように、ベース部７とブラケット９の間に支持部８を介在させる必要はなく、ブラケット９がベース部７から所定の高さ位置において支持されるような構造とする必要はない。
【００３８】
例えば、図１０（本発明の第３の実施形態に係る刈払機１（両手把持用ポジション）の平面図）に示すように、両手把持用ポジションにセットした場合において、ハンドルグリップ部２２ｂが、ブラケット９の真横の位置よりも、若干エンジンユニット４側へずれた位置（オフセット：１０（±５）ｃｍ）となるようにハンドルバー２１ｂを構成すれば、取付部３が、図１１に示すように、ベース部７とブラケット９の間に支持部を介在させることなく、ベース部７とブラケット９とを直結した構造となっていても、「片手把持用ポジションにおいて、ハンドルグリップ部２２ｂが操作桿５の上方位置に保持され、ハンドルグリップ部２２ｂを握るための充分な間隔が操作桿５との間に形成される状態」とすることができる（図１３参照）。
【図面の簡単な説明】
【００３９】
【図１】本発明の第１の実施形態に係る刈払機１（両手把持用ポジション）の平面図。
【図２】図１の刈払機１におけるハンドル２及び取付部３の背面図。
【図３】図１及び図２に示した取付部３の一部切欠斜視図。
【図４】本発明の第１の実施形態に係る刈払機１（片手把持用ポジション）の平面図。
【図５】図４の刈払機１（片手把持用ポジション）の側面図。
【図６】本発明の第２の実施形態に係る刈払機１（両手把持用ポジション）の平面図。
【図７】図６の刈払機１におけるハンドル２及び取付部３の背面図。
【図８】本発明の第２の実施形態に係る刈払機１（片手把持用ポジション）の平面図。
【図９】図８の刈払機１（片手把持用ポジション）の側面図。
【図１０】本発明の第３の実施形態に係る刈払機１（両手把持用ポジション）の平面図。
【図１１】図１０の刈払機１におけるハンドル２及び取付部３の背面図。
【図１２】本発明の第３の実施形態に係る刈払機１（片手把持用ポジション）の平面図。
【図１３】図１２の刈払機１（片手把持用ポジション）の側面図。
【符号の説明】
【００４０】
１：刈払機、
２：ハンドル、
３：取付部、
４：エンジンユニット、
５：操作桿、
６：回転刃、
７：ベース部、
７ａ：上部、
７ｂ：下部、
８：支持部、
９：ブラケット、
９ａ：上部、
９ｂ：下部、
１０：締付用把手、
１１：後手用グリップ、
２１ａ，２１ｂ：ハンドルバー、
２２ａ，２２ｂ：ハンドルグリップ部、
２３ａ，２３ｂ：大径部、
２４ａ，２４ｂ：湾曲部側端部、
２５ａ，２５ｂ：先端部、
２６ａ，２６ｂ：湾曲部
【図１】
2007259721.tif 000003
【図２】
2007259721.tif 000004
【図３】
2007259721.tif 000005
【図４】
2007259721.tif 000006
【図５】
2007259721.tif 000007
【図６】
2007259721.tif 000008
【図７】
2007259721.tif 000009
【図８】
2007259721.tif 000010
【図９】
2007259721.tif 000011
【図１０】
2007259721.tif 000012
【図１１】
2007259721.tif 000013
【図１２】
2007259721.tif 000014
【図１３】
2007259721.tif 000015